(57)【要約】【課題】換気扇、空気清浄機、除湿機等に使用される送風機において、高効率の羽根ならびに羽根自体が集塵機能や脱臭機能を併せ持った羽根車を備えた送風機の提供を目的とする。【解決手段】セル空部２が中心から放射状に並ぶようリング状に形成されて積層された円筒状のハニカムコア３を円盤状の主板４に備え、主板４の中心に軸５を設けて支持される羽根車１の構成とし、軸方向にも整流の役目を持たせることにより、乱れの低減、または内径側へ戻ろうとする流れを抑制し、効率のよい送風機が得られ、また、ハニカムコア３の素材によっては、羽根自体が集塵機能や脱臭機能を併せ持った送風機が得られる。【選択図】図１
2007100637.tif 000002
【特許請求の範囲】
【請求項１】
セル空部が中心から放射状に並ぶようリング状に形成されて積層された円筒状、もしくは円錐状のハニカムコアを円盤状の主板に固定し、前記主板の中心に軸を設けて支持し回転させることにより内径側から外径側へ送風を行う羽根車を有することを特徴とした送風機。
【請求項２】
ハニカムコア内径よりも小さい径をもつベルマウス状の吸込み口を羽根車上流に備えたことを特徴とした請求項１に記載の送風機。
【請求項３】
ハニカムコア二組を円盤状の主板の両面に固定したことを特徴とした請求項１に記載の送風機。
【請求項４】
ハニカムコア内径よりも小さい径をもつベルマウス状の吸込み口を、羽根車を挟むように羽根車の両側に備えた請求項３に記載の送風機。
【請求項５】
主板に１つ、もしくは２つ以上の穴を有することを特徴とした請求項１から４いずれかに記載の送風機。
【請求項６】
羽根車外周側にスクロール状のケーシングを備えたことを特徴とした請求項１から５のいずれかに記載の送風機。
【請求項７】
羽根車において、対象とする塵埃よりも、ハニカムコアのセルサイズを小さくし、集塵の機能を持たせたことを特徴とした請求項１から６のいずれかに記載の送風機。
【請求項８】
羽根車上流の空気を帯電させ、羽根車のハニカムコアに電場をかけたことを特徴とした請求項１から６のいずれかに記載の送風機。
【請求項９】
羽根車のハニカムコアが脱臭材で構成されることを特徴とした請求項１から６のいずれかに記載の送風機。
【請求項１０】
羽根車のハニカムコアが除湿材で構成されることを特徴とした請求項１から６のいずれかに記載の送風機。
【請求項１１】
任意の軸垂直断面上において、通風路であるセル空部を形成するハニカムコアのセル仕切りを湾曲させ、前記ハニカムコアの流入方向と半径方向とのなす角度θ１と流出方向と半径方向とのなす角度θ２が異なる角度であることを特徴とした請求項１から１０のいずれかに記載の羽根車。
【請求項１２】
等幅の面方向に曲率を持ったシートのセル高さを一定にして折り曲げ、リング状のコルゲートシートを成型し、前記コルゲートシートを軸方向に積層して円筒状、もしくは円錐状のハニカムコアを形成したことを特徴とした請求項１から１１のいずれかに記載の送風機。
【請求項１３】
等幅の面方向に曲率を持ったシートのセル高さを一定にして折目を曲線形状に折り曲げ、リング状のコルゲートシートを成型し、前記コルゲートシートを軸方向に積層して円筒状、もしくは円錐状のハニカムコアを形成したことを特徴とした請求項１から１１のいずれかに記載の送風機。
【請求項１４】
等幅の直線状、もしくは面方向に曲率を持ったシートを、内径側はセルピッチを小さく、かつセル高さを大きくし、外形側はセルピッチを大きく、かつセル高さを小さくして折り曲げることにより湾曲したリング状のコルゲートシートを成型し、前記コルゲートシートを軸方向に積層して円筒状、もしくは円錐状のハニカムコアを形成したことを特徴とした請求項１から１１のいずれかに記載の送風機。
【請求項１５】
等幅の直線状、もしくは面方向に曲率を持ったシートを、内径側はセルピッチを小さく、かつセル高さを大きくし、外形側はセルピッチを大きく、かつセル高さを小さくしつつ折目を曲線形状に折り曲げることにより湾曲したリング状のコルゲートシートを成型し、前記コルゲートシートを軸方向に積層して円筒状、もしくは円錐状のハニカムコアを形成したことを特徴とした請求項１から１１のいずれかに記載の送風機。
【発明の詳細な説明】
【技術分野】
【０００１】
本発明は、換気扇、空気清浄機、除湿機等に用いられる送風機に関する。
【背景技術】
【０００２】
従来、この種の送風機は、集塵フィルタ、または脱臭フィルタ等とは別に機器内に備えられ、フィルタの高性能化を満たすために高圧損風路となり、高静圧において充分な風量が確保できる遠心ファンが用いられていた（例えば、特許文献１参照）。
【０００３】
以下、その送風機について、図１３を参照しながら説明する。
【０００４】
図１３に示すように、容器１０１に空気を取り入れる吸込み口１０２、遠心ファン１０３、遠心ファン１０３を駆動するためのモータ１０４、さらにその下流に空気を浄化するフィルタ１０５が備えられる。ここで矢印は空気の流れを示しており、ファンの回転により吸込み口１０２から空気が吸込まれ、遠心ファン１０３により昇圧され、昇圧された旋回流れが、容器１０１の内面で流れの方向を変えられて下流に配置されたフィルタ１０５を通過して空気を送り出す構造となっていた。
【特許文献１】特開平１１−３７５２５号公報（図１）
【発明の開示】
【発明が解決しようとする課題】
【０００５】
このような従来の送風機では、翼間において、ファン周方向には翼面で流れを整えるものの、軸方向には流れを規制するものが無く、流れの乱れや戻りを生じ性能低下をきたすことがある。また、集塵、脱臭等の機能を持たせる場合には、送風機と別にフィルタを搭載する必要があり、小型化の妨げとなる。
【０００６】
本発明は、このような従来の課題を解決するものであり、高効率の羽根ならびに羽根自体が集塵機能や脱臭機能を併せ持った送風機を提供することを目的としている。
【課題を解決するための手段】
【０００７】
本発明の送風機は、セル空部が中心から放射状に並ぶようリング状に形成されて積層された円筒状、もしくは円錐状のハニカムコアを円盤状の主板に固定し、円板の中心に軸を設けて支持し回転させることにより内径側から外径側へ送風を行う羽根車を有することを特徴としたものである。
【０００８】
この手段により、ファン周方向、軸方向のそれぞれに仕切りをもつハニカムコアが、周方向だけでなく、軸方向にも整流の役目を持ち、送風機の効率向上が可能となる。
【０００９】
また、他の手段は、ハニカムコア内径よりも小さい径をもつベルマウス状の吸込み口を羽根車上流に備えたことを特徴としたものである。
【００１０】
この手段により、ベルマウス状の湾曲した吸込み口がハニカムコア流入部に向けて乱れの少ない気流を導くことになり、送風機の効率向上が可能となる。また、この手段は、特にファン吸込み空間と吹出し空間を仕切る必要がある場合に有効である。
【００１１】
また、他の手段は、ハニカムコア二組を円盤状の主板の両面に固定したことを特徴としたものである。
【００１２】
この手段により、羽根車軸方向の両側に２箇所の吸込みを設けることができ、同じ羽根車高さを持つ羽根車と比較して、より広い吸込み面積となり吸込み効率の向上が可能となり、風量の増加が容易となる。
【００１３】
また、他の手段は、ハニカムコア内径よりも小さい径をもつベルマウス状の吸込み口を、羽根車を挟むように羽根車の両側に備えたことを特徴としたものである。
【００１４】
この手段により、羽根車軸方向の両側に２箇所の吸込みを設けた場合に、その両側においてハニカムコア流入部に向けて乱れの少ない気流を導き、送風機の効率向上が可能となる。
【００１５】
また、他の手段は、主板に１つ、もしくは２つ以上の穴を有することを特徴としたものである。
【００１６】
この手段により、主板の穴が空気の通路となり、羽根車の裏側からも空気を送り込むことができる。また、羽根車軸方向の両側に２箇所の吸込みを設ける場合には、静圧の低い吸込み側に、静圧の高い吸込み側からも空気が流入することで、全体での吸込み風量を多くすることが可能となる。
【００１７】
また、他の手段は、羽根車外周側にスクロール状のケーシングを備えたことを特徴としたものである。
【００１８】
この手段により、羽根車から流出した空気をロスなく収集でき、特に、羽根車軸と垂直方向に吹出し口を設ける場合に、送風機の効率向上が可能となる。
【００１９】
また、他の手段は、羽根車において、対象とする塵埃よりも、ハニカムコアのセルサイズを小さくし、集塵の機能を持たせたことを特徴としたものである。
【００２０】
この手段により、羽根車に送風機能だけでなく、ハニカムコアのセルサイズより小さい塵埃をセル部でせき止めることにより、空気の浄化作用を持たせることができ、集塵機能を持った送風機の小型化が可能となる。
【００２１】
また、他の手段は、羽根車上流の空気を帯電させ、羽根車のハニカムコアに電場をかけ、クーロン力（静電気力）により羽根車表面で塵埃を捕集する電気集塵の機能を持たせたことを特徴としたものである。
【００２２】
この手段により、微細な塵埃を除去したい場合においても、セルサイズを小さくすることなく流路を確保したまま塵埃を取り除くことができ、高効率な送風性能と、高効率な集塵性能を実現できる。
【００２３】
また、他の手段は、羽根車のハニカムコアが脱臭材で構成されることを特徴としたものである。
【００２４】
この手段により、羽根車に送風機能だけでなく、空気がハニカムコアのセルサイズ内でより多くの脱臭材としての羽根車表面に接して通ることで、脱臭部材としても効率的に働き、送風と除脱臭を羽根車のみで行うことができ、除湿機能を持った送風機の小型化が可能となる。
【００２５】
また、他の手段は、羽根車のハニカムコアが除湿材で構成されることを特徴としたものである。
【００２６】
この手段により、羽根車に送風機能だけでなく、空気がハニカムコアのセルサイズ内でより多くの除湿材としての羽根車表面に接して通ることで、除湿部材としても効率的に働き、送風と除湿を羽根車のみで行うことができ、脱臭機能を持った送風機の小型化が可能となる。
【００２７】
また他の手段は、任意の軸垂直断面上において、通風路であるセル空部を形成するハニカムコアのセル仕切りを湾曲させ、前記ハニカムコアの流入方向と半径方向とのなす角度θ１と流出方向と半径方向とのなす角度θ２が異なる角度であることを特徴としたものである。
【００２８】
この手段により、ハニカムコアのセル内風路を曲げることになり、ハニカムコア流入部では定格回転数に応じてロスの少ないθ１を設定し、ハニカムコア流出部では送風特性の仕様に応じて最適なθ２を設定でき、送風機の効率向上が可能となる。
【００２９】
また、他の手段は、等幅の面方向に曲率を持ったシートのセル高さを一定にして折り曲げ、リング状のコルゲートシートを成型し、コルゲートシートを軸方向に積層して円筒状、もしくは円錐状のハニカムコアを形成したことを特徴としたものである。
【００３０】
この手段により、面方向に曲率を持たないシートを均等に厚み方向に折り曲げてリング状にするとシートにひずみが生じるが、予め面方向に曲率を持っているため、無理なくリング形状にでき、ハニカムコアの羽根車製作が容易となる。
【００３１】
また、他の手段は、等幅の面方向に曲率を持ったシートのセル高さを一定にして折目を曲線形状に折り曲げ、リング状のコルゲートシートを成型し、コルゲートシートを軸方向に積層して円筒状、もしくは円錐状のハニカムコアを形成したことを特徴としたものである。
【００３２】
この手段により、面方向に曲率を持たないシートを均等に厚み方向に折り曲げてリング状にするとシートにひずみが生じるが、予め面方向に曲率を持っているため、無理なくリング形状にでき、かつ、軸垂直断面上において、通風路であるセル空部を形成するハニカムコアのセル仕切りを湾曲させ、ハニカムコアの流入方向と半径方向とのなす角度θ１と流出方向と半径方向とのなす角度θ２が異なる角度となるハニカムコアの製作が可能となり、送風機の効率向上が可能となる。
【００３３】
また、他の手段は、等幅の直線状、もしくは面方向に曲率を持ったシートを、内径側はセルピッチを小さく、かつセル高さを大きくし、外径側はセルピッチを大きく、かつセル高さを小さくして折り曲げることにより湾曲したリング状のコルゲートシートを成型し、前記コルゲートシートを軸方向に積層して円筒状、もしくは円錐状のハニカムコアを形成したことを特徴としたものである。
【００３４】
この手段により、面方向に曲率を持たないシートを均等に厚み方向に折り曲げてリング状にするとシートにひずみが生じるが、外径側と内径側で曲げ方を変えて歪みなくリング状形状にでき、ハニカムコアの羽根車製作が容易となる。
【００３５】
また、他の手段は、等幅の直線状、もしくは面方向に曲率を持ったシートを、内径側はセルピッチを小さく、かつセル高さを大きくし、外形側はセルピッチを大きく、かつセル高さを小さくしつつ折目を曲線形状に折り曲げることにより湾曲したリング状のコルゲートシートを成型し、前記コルゲートシートを軸方向に積層して円筒状、もしくは円錐状のハニカムコアを形成したことを特徴としたものである。
【００３６】
この手段により、面方向に曲率を持たないシートを均等に厚み方向に折り曲げてリング状にするとシートにひずみが生じるが、外径側と内径側で曲げ方を変えて歪みなくリング状形状にでき、かつ、軸垂直断面上において、通風路であるセル空部を形成するハニカムコアのセル仕切りを湾曲させ、ハニカムコアの流入方向と半径方向とのなす角度θ１と流出方向と半径方向とのなす角度θ２が異なる角度となるハニカムコアの製作が可能となり、送風機の効率向上が可能となる。
【発明の効果】
【００３７】
本発明によれば、このような従来の課題を解決するものであり、高効率の羽根ならびに羽根自体が集塵機能や脱臭機能を併せ持った送風機を提供できる。
【発明を実施するための最良の形態】
【００３８】
本発明の請求項１記載の発明は、セル空部が中心から放射状に並ぶようリング状に形成されて積層された円筒状、もしくは円錐状のハニカムコアを円盤状の主板に固定し、円板の中心に軸を設けて支持し、モータ等により回転させることにより内径側から外径側へ送風を行う羽根車を有した送風機であり、ファン周方向、軸方向のそれぞれに仕切りをもつハニカムコアが、周方向だけでなく、軸方向にも整流の役目を持ち、送風機の効率向上が可能となる。
【００３９】
また、請求項２記載の発明は、ハニカムコア内径よりも小さい径をもつベルマウス状の吸込み口を羽根車上流に備えたことを特徴としたものであり、ベルマウス状の湾曲した吸込み口がハニカムコア流入部に向けて乱れの少ない気流を導くことになり、ファン吸込み空間と吹出し空間を仕切る場合に送風機の効率向上が可能となる。
【００４０】
また、請求項３記載の発明は、ハニカムコア二組を円盤状の主板の両面に固定したことを特徴としたものであり、羽根車軸方向の両側に２箇所の吸込みを設けることができ、片側の吸込みで羽根車高さを羽根車径の０．８倍以上に増やしても、吸込み面積が少ないために風量が増加しにくくなるが、この手段により、羽根車高さが羽根車径の０．８倍以上になっても風量の増加が容易となる。
【００４１】
また、請求項４記載の発明は、ハニカムコア内径よりも小さい径をもつベルマウス状の吸込み口を、羽根車を挟むように羽根車の両側に備えたことを特徴としたものであり、請求項３の２箇所の吸込み口を設けてファン吸込み空間と吹出し空間を仕切る場合に、両方の吸込み口にベルマウス状の吸込み口を設けることにより、ベルマウス状の湾曲した吸込み口がハニカムコア流入部に向けて乱れの少ない気流を導き送風機の効率向上が可能となる。
【００４２】
また、請求項５記載の発明は、主板に１つ、もしくは２つ以上の穴を有することを特徴としたものであり、羽根車軸方向の両側に２箇所の吸込みを設ける場合に、静圧の低い吸込み側に、静圧の高い吸込み側からも空気が流入することで、全体での吸込み風量を多くすることが可能となる。
【００４３】
また、請求項６記載の発明は、羽根車外周側にスクロール状のケーシングを備えたことを特徴としたものであり、羽根車から流出した空気をロスなく収集でき、羽根車軸と垂直方向に吹出し口を設ける場合に、送風機の効率向上が可能となる。
【００４４】
また、請求項７記載の発明は、羽根車において、対象とする塵埃よりも、ハニカムコアのセルサイズを小さくし、集塵の機能を持たせたことを特徴としたものであり、羽根車に送風機能だけでなく、ハニカムコアのセルサイズより小さい塵埃をセル部でせき止めることにより、空気の浄化作用を持たせることができ、集塵機能を持った送風機の小型化が可能となる。
【００４５】
また、請求項８記載の発明は、羽根車上流の空気を帯電し、羽根車のハニカムコアに電場をかけ、クーロン力（静電気力）により羽根車表面で塵埃を捕集する電気集塵の機能を持たせたことを特徴としたものであり、セルサイズを小さくすることなく流路を確保したまま微細な塵埃を取り除くことができ、高効率な送風性能と、高効率な集塵性能を実現できる。
【００４６】
また、請求項９記載の発明は、羽根車のハニカムコアが活性炭やゼオライト等の脱臭材で構成されることを特徴としたものであり、羽根車に送風機能だけでなく、空気がハニカムコアのセルサイズ内でより多くの脱臭材としての羽根車表面に接して通ることで、脱臭部材としても効率的に働き、送風と除脱臭を羽根車のみで行うことができ、除湿機能を持った送風機の小型化が可能となる。
【００４７】
また、請求項１０記載の発明は、羽根車のハニカムコアがシリカゲルやゼオライト等の除湿材で構成されることを特徴としたものであり、羽根車に送風機能だけでなく、空気がハニカムコアのセルサイズ内でより多くの除湿材としての羽根車表面に接して通ることで、除湿部材としても効率的に働き、送風と除湿を羽根車のみで行うことができ、脱臭機能を持った送風機の小型化が可能となる。
【００４８】
また、請求項１１記載の発明は、任意の軸垂直断面上において、通風路であるセル空部を形成するハニカムコアのセル仕切りを湾曲させ、前記ハニカムコアの流入方向と半径方向とのなす角度θ１と流出方向と半径方向とのなす角度θ２が異なる角度であることを特徴としたものであり、ハニカムコア流入部では、流量Ｑ、流入部全面積Ｓ、流入箇所周速Ａの関係がθ１＝ｔａｎ（Ａ×Ｓ÷Ｑ）となるようなロスの少ないθ１を設定し、ハニカムコア流出部では送風特性の仕様に応じて最適なθ２を設定し、送風機の効率向上をはかることが可能となる。
【００４９】
また、請求項１２記載の発明は、等幅の面方向に曲率を持ったシートのセル高さを一定にして折り曲げ、リング状のコルゲートシートを成型し、コルゲートシートを軸方向に積層して円筒状、もしくは円錐状のハニカムコアを形成したことを特徴としたものであり、面方向に曲率を持たないシートを均等に厚み方向に折り曲げてリング状にするとシートにひずみが生じるが、予め面方向に曲率を持っているため、無理なくリング形状にでき、ハニカムコアの羽根車製作が容易となる。
【００５０】
また、請求項１３記載の発明は、等幅の面方向に曲率を持ったシートのセル高さを一定にして折目を曲線形状に折り曲げ、リング状のコルゲートシートを成型し、コルゲートシートを軸方向に積層して円筒状、もしくは円錐状のハニカムコアを形成したことを特徴としたものであり、シートのひずみを生じずに、無理なくリング形状にでき、かつ、請求項１１記載の高効率となる送風機のためのハニカムコアの製作が可能となる。
【００５１】
また、請求項１４記載の発明は、等幅の直線状、もしくは面方向に曲率を持ったシートを、内径側はセルピッチを小さく、かつセル高さを大きくし、外径側はセルピッチを大きく、かつセル高さを小さくして折り曲げることにより湾曲したリング状のコルゲートシートを成型し、前記コルゲートシートを軸方向に積層して円筒状、もしくは円錐状のハニカムコアを形成したことを特徴としたものであり、シートのひずみを生じずに、外径側と内径側で曲げ方を変えてリング状形状にでき、ハニカムコアの羽根車製作が容易となる。
【００５２】
また、請求項１５記載の発明は、等幅の直線状、もしくは面方向に曲率を持ったシートを、内径側はセルピッチを小さく、かつセル高さを大きくし、外形側はセルピッチを大きく、かつセル高さを小さくしつつ折目を曲線形状に折り曲げることにより湾曲したリング状のコルゲートシートを成型し、前記コルゲートシートを軸方向に積層して円筒状、もしくは円錐状のハニカムコアを形成したことを特徴としたものであり、シートのひずみを生じずに外径側と内径側で曲げ方を変えてリング状形状にでき、かつ、請求項１１記載の高効率となる送風機のためのハニカムコアの製作が可能となる。
【００５３】
（実施の形態１）
図１は実施の形態１における送風機の羽根車１の斜視図であって、セル空部２が中心から放射状に並ぶようリング状に形成されて積層された円筒状のハニカムコア３を円盤状の主板４に備え、主板４の中心に軸５を設けて支持される構成となっている。
【００５４】
上記構成において、図１の中の矢印は風の流れを示しており、羽根車１をモータ等により回転させることで、セル空部２内の空気が遠心力により内径側から外形側へと移動し、全体として吸込み側６から吹出し側７へと向かう流れが起こるが、ファン周方向、軸方向のそれぞれに仕切りをもつハニカムコア３が、一般的な周方向のみしか流れを制限しない遠心ファンと比較して、周方向だけでなく、軸方向にも整流の役目を持ち、乱れの低減、または部分的に内径側へ戻ろうとする流れを抑制し、送風機の効率向上が可能となる。
【００５５】
なお、実施の形態１において、セル空部２では個々の風路が極端に狭いために、セルサイズよりも大きな異物が送風される空気内に存在する場合には、セル空部２の入口で引っかかる。このことを利用して、対象とする塵埃サイズよりもセルサイズを小さくすることで集塵の機能を併せ持った送風機とすることができる。また、セル空部２を通過する送風される空気は、多くの羽根車１の表面に接することになる。このことを利用して、ハニカムコア３を活性炭やゼオライト等の脱臭の機能を持つ素材とすることで、脱臭部材としても効率的に働き、また、ハニカムコア３をシリカゲルやゼオライト等の除湿の機能を持つ素材とすることで、除湿部材としても効率的に働き、羽根車１を送風の機能としてだけでなく、脱臭・除湿の機能を併せ持った送風機とすることができる。
【００５６】
（実施の形態２）
図２は実施の形態２における送風機の羽根車１の斜視図であって、セル空部２が中心から羽根車１の半径方向に角度をなして放射状に並ぶようリング状に形成されて積層された円錐状のハニカムコア３を円錐上の主板４に備え、主板４の中心に軸５を設けて支持される構成となっている。
【００５７】
上記構成において、図２の中の矢印は風の流れを示しており、羽根車１をモータ等により回転させることで、セル空部２内の遠心力による内径側から外形側への空気の移動と、セル空部２が羽根車１の半径方向に角度をなして放射状に並び空気を掻くことによるセル空部方向への移動がおこり、斜流ファンに似た働きをなす。このとき、ファン周方向、軸方向のそれぞれに仕切りをもつハニカムコア３が、一般的な周方向のみしか流れを制限しない斜流ファンと比較して、周方向だけでなく、軸方向にも整流の役目を持ち、乱れの低減、と部分的に内径側へ戻ろうとする流れを抑制し、送風機の効率向上が可能となる。
【００５８】
なお、実施の形態２においても、実施の形態１と同様に、ハニカムコア３に集塵や脱臭、除湿の機能を持たせても良い。
【００５９】
（実施の形態３）
図３は実施の形態３における垂直断面図、図４は同水平断面図であって、セル空部２が中心から放射状に並ぶようリング状に形成されて積層された円筒状のハニカムコア３を円盤状の主板４に備え、主板４の中心に軸５を設けた羽根車１と、羽根車１外周側のスクロール状のケーシング８と、ケーシング８吸込み側に、ハニカムコア３内径よりも小さい径を持つベルマウス状の吸込み口１０２とを備えた構成となっている。
【００６０】
上記構成において、羽根車１をモータ等により回転させることで、吸込み側６から吹出し側７へと向かう流れが起こる。このとき、ベルマウス状の湾曲した吸込み口１０２はハニカムコア流入部に向けて乱れの少ない気流を導きロスを抑え、スクロール状のケーシング８は羽根車から流出した気流のロスを抑えて空気を収集し吹出し、送風機の効率向上が可能となる。
【００６１】
なお、実施の形態３においても、実施の形態１と同様に、ハニカムコア３に集塵や脱臭、除湿の機能を持たせても良い。
【００６２】
（実施の形態４）
図５は実施の形態４の垂直断面図であって、リング状に形成されて積層された電気集塵の集塵部となる電場をかけたハニカムコア３を円盤状の主板４に備え、主板４の中心に軸５を設けた羽根車１と、羽根車１外周側のスクロール状のケーシング８と、ケーシング吸込み側に、ハニカムコア３内径よりも小さい径を持つベルマウス状の吸込み口１０２とを備え、さらに吸込み口１０２の上流側に吸込み空気を帯電させるための電気集塵の荷電部９を備えた構成となっている。
【００６３】
上記構成において、羽根車１をモータ等により回転させることで、荷電部９、吸込み口１０２を通過して吸込み側６から吹出し側７へと向かう流れが起こり、荷電部９を通過する際に帯電された空気は、電場をかけたハニカムコア３を通過する際にクーロン力（静電気力）により羽根車１表面に塵埃が吸着し、集塵の機能を併せ持った送風機とすることができる。
【００６４】
なお、実施の形態４において、ハニカムコア３は、電荷を与え永久分極させた誘電体から構成されているものでは、複雑な機構無しに集塵の効果が得られ、軸５に回転子などを用いて、ハニカムコア３内に備えられた導電体に電気を流して電場をかけ続けた場合には、長時間経過しても性能の落ちにくい集塵の効果が得られる。
【００６５】
（実施の形態５）
図６は実施の形態５の斜視図、図７は同垂直断面図であって、セル空部２が中心から放射状に並ぶようリング状に形成されて積層された円筒状のハニカムコア３二組を主板穴１０の空いた円盤状の主板４の両面に備え、主板４の中心に軸５を設けた羽根車１と、羽根車１外周側のスクロール状のケーシング８と、二組のハニカムコア３それぞれに対応する吸込み側に、ハニカムコア３内径よりも小さい径を持つベルマウス状の二つの吸込み口１０２とを備えた構成となっている。
【００６６】
上記構成において、羽根車１をモータ等により回転させることで、吸込み側６から吹出し側７へと向かう流れが起こる。このとき、ベルマウス状の湾曲した吸込み口１０２はハニカムコア３流入部に向けて乱れの少ない気流を導きロスを抑え、スクロール状のケーシング８は羽根車から流出した気流のロスを抑えて空気を収集し吹出し、送風機の効率向上が可能となる。また、ハニカムコア３二組を円盤状の主板４の両面に備えたことにより、羽根車１軸方向の両側に２箇所の吸込みを設けることができ、吸込み面積が少なくなるために風量が増加しにくくなる羽根車１高さが羽根車径の０．８倍以上になっても風量の増加が容易となる。さらに、主板４に主板穴１０を設けていることにより、静圧の低い吸込み側に、静圧の高い吸込み側からも空気が流入することで、全体での吸込み風量を多くすることが可能となる。
【００６７】
なお、実施の形態５において、吸込み側６と吹出し側７を仕切る必要がない場合には、吸込み方向に対して垂直な半径方向への吹出しとなるが、この場合ケーシング８を設けなくても良い。また、主板４に主板穴１０を設けているが、設けなくても二方向から吸込む風量増加の効果は得られる。さらに、実施の形態１、実施の形態４と同様に、ハニカムコア３に集塵や脱臭、除湿の機能を持たせても良い。
【００６８】
（実施の形態６）
図８は実施の形態６の水平断面図であって、セル空部２が中心から放射状に並ぶようリング状に形成されて積層された円筒状のハニカムコア３を円盤状の主板４に備え、主板４の中心に軸５を設けて支持される構成となっている。ここで、通風路であるセル空部２を形成するハニカムコア３のセル仕切りは湾曲しており、ハニカムコア３の流入方向と半径方向とのなす角度θ１と流出方向と半径方向とのなす角度θ２は異なっている。
【００６９】
上記手段により、羽根車１をモータ等により回転させることで、吸込み側６から吹出し側７へと向かう流れが起こるが、ハニカムコア流入部１１では、流量Ｑ、流入部全面積Ｓ、流入箇所周速Ａの関係がθ１＝ｔａｎ（Ａ×Ｓ÷Ｑ）となるようなロスの少ないθ１を設定し、ハニカムコア流出部１２では送風特性の仕様に応じて最適なθ２を設定し、送風機の効率向上をはかることが可能となる。
【００７０】
なお、実施の形態６においても、実施の形態１、実施の形態４と同様に、ハニカムコア３に集塵や脱臭、除湿の機能を持たせても良い。
【００７１】
（実施の形態７）
図９は実施の形態７の斜視図であって、等幅の面方向に曲率を持ったシート１３をセル高さ１４一定で折目を曲線形状に折り曲げてリング状に成型する過程のコルゲートシートである。このコルゲートシートを積層、もしくは平面のシートでサンドイッチ構造にして積層することでハニカムコアを構成する。図１０は実施の形態７の１ピッチ周方向断面図であって、曲率を持ったシート１３であるために、ハニカムコア流入部１１に相当する流入部シート断面１５の長さは流出部シート断面１６の長さと比較して短く、ハニカムコア流出部１２に相当する流出部シート断面１６の長さは流入部シート断面１５の長さと比較して長い構成となっている。
【００７２】
上記構成において、リング状のコルゲートシートを成型する際に、シート１３のひずみを生じずに、無理なくリング形状にハニカムコアを成型でき、かつ、折目を曲線形状に折り曲げているために、ハニカムコア流入部１１とハニカムコア流出部１２の半径方向に対する最適な角度設定でき、送風性能の向上をはかることが可能となる。
【００７３】
なお、実施の形態７において、シートを折目を曲線形状に折り曲げて成型しているが、送風機としての仕様によって、また、成型の容易化によって折目を直線形状に折り曲げても、シート１３のひずみを生じずに、無理なくリング形状にハニカムコアを成型できる。また、図９において、シート１３の折り曲げはエッジを持って三角形状となるよう折り曲げているが、四角形状の折り方や、緩やかな波形状の折り方でもよい。
【００７４】
（実施の形態８）
図１０は実施の形態８の斜視図、図１１は同１ピッチ周方向断面図であって、等幅の直線状のシート１３を、内径側のハニカムコア流入部１１に相当する流入部シート断面１５はセルピッチ１７を小さく、かつセル高さ１４を大きくし、外径側のハニカムコア流出部１２に相当する流出部シート断面１６はセルピッチ１７を大きく、かつセル高さ１４を小さくして折り曲げることにより、等幅の直線状シートの条件である１ピッチ辺りのシート断面の長さは同一のままに、湾曲したリング形状に成型する過程のコルゲートシートである。このコルゲートシートを積層、もしくは平面のシートでサンドイッチ構造にして積層することでハニカムコアを構成する。
【００７５】
上記構成において、リング状のコルゲートシートを成型する際に、シート１３のひずみを生じずに、無理なくリング形状にハニカムコアを成型することが可能となる。
【００７６】
なお、実施の形態７において、等幅の直線状のシート１３から成型しているが、面方向に曲率を持ったシートでも良く、この場合はシートの曲率と成型したコルゲートシートの曲率を大きく変化させることができる。また、送風機としての仕様によって、また、成型の容易化によって、シートの折り方は折目が直線形状でも曲線形状でも無理なくリング形状にハニカムコアを成型できる。さらに、図９、図１０において、シート１３の折り曲げはエッジを持って三角形状となるよう折り曲げているが、四角形状の折り方や、緩やかな波形状の折り方でもよい。
【産業上の利用可能性】
【００７７】
本発明にかかる送風機は、羽根車内部流れの乱れや戻りの抑制と部材の統合をし、高効率の羽根ならびに羽根自体が集塵機能や脱臭機能を併せ持った送風機を提供できる。
【図面の簡単な説明】
【００７８】
【図１】本発明の実施の形態１の斜視図
【図２】本発明の実施の形態２の斜視図
【図３】本発明の実施の形態３の垂直断面図
【図４】同上水平断面図
【図５】本発明の実施の形態４の垂直断面図
【図６】本発明の実施の形態５の斜視図
【図７】同上垂直断面図
【図８】本発明の実施の形態６の水平断面図
【図９】本発明の実施の形態７斜視図
【図１０】同上周方向断面図
【図１１】本発明の実施の形態８斜視図
【図１２】同上周方向断面図
【図１３】従来の送風機の構造を示す図
【符号の説明】
【００７９】
１      羽根車
２      セル空部
３      ハニカムコア
４      主板
５      軸
６      吸込み側
７      吹出し側
８      ケーシング
９      荷電部
１０    主板穴
１１    ハニカムコア流入部
１２    ハニカムコア流出部
１３    シート
１４    セル高さ
１５    流入部シート断面
１６    流出部シート断面
１７    セルピッチ
１０２  吸込み口
【図１】
2007100637.tif 000003
【図２】
2007100637.tif 000004
【図３】
2007100637.tif 000005
【図４】
2007100637.tif 000006
【図５】
2007100637.tif 000007
【図６】
2007100637.tif 000008
【図７】
2007100637.tif 000009
【図８】
2007100637.tif 000010
【図９】
2007100637.tif 000011
【図１０】
2007100637.tif 000012
【図１１】
2007100637.tif 000013
【図１２】
2007100637.tif 000014
【図１３】
2007100637.tif 000015